(57)【要約】【課題】  クリップピンのコネクタ接続部における異種金属接触による腐食を防止することのできる表示パネルを提供する。【解決手段】  クリップピン１２のコネクタ接続部１３ｃに、異種金属接触による腐食を防止するための腐食防止手段１６を設ける。【選択図】      図１
2006003800.tif 000002
【特許請求の範囲】
【請求項１】
端子形成部のパネル端子にクリップピンが接続固定され、該クリップピンは前記パネル端子に接続固定されるクリップ体と外部駆動回路のコネクタ端子に接続されるピン体とを有し、前記コネクタ端子と前記ピン体とは異種金属接触により接続される表示パネルにおいて、
前記ピン体の前記コネクタ端子と接触する部位の表面に、異種金属接触による腐食を防止するための腐食防止手段が設けられていることを特徴とする表示パネル。
【請求項２】
前記腐食防止手段が、前記コネクタ端子の接触部分の表面と同種材料の導電層によって形成されている請求項１に記載の表示パネル。
【請求項３】
前記導電層の材料が、鉛を含まない錫合金、錫または金である請求項２に記載の表示パネル。
【請求項４】
前記導電層の厚さが、０．３μｍ以上、１．０μｍ未満の範囲である請求項２または３に記載の表示パネル。
【請求項５】
前記導電層が、無電解メッキまたは溶融メッキにより形成されている請求項２、３または４に記載の表示パネル。
【発明の詳細な説明】
【技術分野】
【０００１】
本発明は、パネル端子にクリップピンを接続固定した表示パネルに関する。
【背景技術】
【０００２】
従来から、文字や図形などの各種の情報を表示することのできる表示装置が知られており、このような表示装置の表示部として、液晶表示パネル、有機ＥＬ表示パネル、プラズマ表示パネルなどの各種の表示パネルが用いられている。このような表示パネルの一種として、端子形成部に形成されているパネル端子にクリップピンを取り付けた構成のものが知られている（例えば、特許文献１参照）。
【０００３】
従来のパネル端子にクリップピンを取り付けた構成の表示パネルについて、液晶表示パネルを例示して説明する。
【０００４】
図３および図４は従来の液晶表示パネルにおけるクリップピンの取付構造を示すもので、従来の表示パネルとしての液晶表示パネル１は、液晶が封入される一対の基板２、３のうちの一方の基板２の少なくとも一辺が他方の基板３の外側、すなわち、画像表示領域の外側に張り出すように突出されており、この突出部分は、端子形成部２ａとされている。そして、端子形成部２ａには、複数のパネル端子４が配列されている。これらのパネル端子４のそれぞれには、クリップピン５が取り付けられている。そして、これらのクリップピン５は、ほぼ棒状に形成されたピン体６と弾性変形可能な側面ほぼコ字状に形成されたクリップ体７を有している。そして、液晶表示パネル１の端子形成部２ａのパネル端子４が配置された部位に、クリップピン５のクリップ体７の開口側を端子形成部２ａの側方から挿入することで、クリップピン５のクリップ体７が液晶表示パネル１の端子形成部２ａに形成されているパネル端子４に取り付けられている。
【０００５】
このような構成によれば、クリップピン５は、そのクリップ体７のばね弾性からなる弾性挟持力によってパネル端子４が形成された端子形成部２ａに保持されることになるが、その弾性挟持力だけでは耐衝撃性や電気的接続の信頼性に難がある。
【０００６】
そのため、図４に示すように、クリップ体７に紫外線硬化型樹脂（ＵＶ樹脂）８を塗布し、この紫外線硬化型樹脂８に対して紫外線ランプＬから出射される紫外線を照射することにより、紫外線硬化型樹脂８を硬化させて、パネル端子４とクリップピン５との接続固定をより強固なものとしている。
【０００７】
なお、クリップピン５の素材としては、電気的な接続に必要な導電性とクリップ体７の弾性挟持力を合わせ持たせるために、ばね用銅合金、具体的にはばね用りん青銅板が用いられている。また、ばね用銅合金は、ハンダの濡れ性が悪いので、クリップピン５の表面には、錫に鉛を数％〜４０％程度含む錫−鉛系の錫を主成分とする錫合金によるメッキ処理が施されている。
【０００８】
すなわち、クリップピン５の少なくともピン体６の表面は、図４に拡大して誇張して示すように、錫合金を電気メッキした導電層９によって被覆されている。
【０００９】
そして、クリップピン５のピン体６の先端部は、プリント配線板などの外部駆動回路の接続端子にハンダ付けされたり、あるいは、外部駆動回路のコネクタ端子に把持されることで、クリップピン５を介してパネル端子４と外部駆動回路とが電気的に接続されるようになっている。
【００１０】
なお、クリップピン５がコネクタ端子に把持される場合、ピン体６の先端部の先端縁から所定長さの領域は、コネクタ端子に把持されるコネクタ接続部６ｃとされており、このコネクタ接続部６ｃがコネクタに把持されることにより、コネクタ接続部６ｃの表面がコネクタ端子に接触保持され、クリップピン５と外部駆動回路との電気的な接続が保持されるようになっている。
【００１１】
また、外部駆動回路のコネクタ端子は、銅、アルミニウムなどの金属の導体を材料として形成されており、銅などの腐食しやすい材料を用いる場合には、腐食を防止するための錫あるいは金などの貴金属などによる導電層によって被覆されている。
【００１２】
【特許文献１】特開平９−３１８９６３号公報
【特許文献２】特開平１３−０４３９１７号公報
【発明の開示】
【発明が解決しようとする課題】
【００１３】
ところで、従来の液晶表示パネル１のクリップピン５において、クリップピン５のコネクタ接続部６ｃを外部駆動回路のコネクタ端子に把持接続させた際、前記クリップピンと前記コネクタ端子とが異種金属接触により接続される場合は、クリップピン５のコネクタ接続部６ｃの表面と、外部駆動回路のコネクタ端子の表面との相互間の接触部分に結露などにより水が付着すると電気化学的腐食である異種金属接触による腐食（ガルバニック腐食：galvanic corrosion）が生じるという問題点があった。
【００１４】
この異種金属接触による腐食は、クリップピン５のコネクタ接続部６ｃの表面がコネクタ端子の表面とは異なる材料、例えば、コネクタ接続部６ｃの表面の導電層９がハンダメッキによるハンダ合金で形成され、コネクタ端子の表面が金メッキによる金で形成されている場合、コネクタ接続部６ｃとコネクタ端子との接触部位に水の結露で電解質溶液などが生じると発生する。
【００１５】
本発明はこの点に鑑みてなされたものであり、クリップピンのコネクタ接続部に異種金属接触による腐食が発生するのを防止することのできる表示パネルを提供することを目的とする。
【課題を解決するための手段】
【００１６】
前述した目的を達成するため、本発明に係る表示パネルの特徴は、端子形成部のパネル端子にクリップピンが接続固定され、該クリップピンは前記パネル端子に接続固定されるクリップ体と外部駆動回路のコネクタ端子に接続されるピン体とを有し、前記コネクタ端子と前記ピン体とは異種金属接触により接続される表示パネルにおいて、前記ピン体のコネクタ端子と接触する部位の表面に、異種金属接触による腐食を防止するための腐食防止手段が設けられている点にある。
【００１７】
本発明の表示パネルにおいて前記腐食防止手段が、前記コネクタ端子の接触部分の表面と同種材料の導電層によって形成されていることが好ましい。
【００１８】
前記導電層の材料が、鉛を含まない錫合金、錫または金であることが好ましく、また、前記導電層の厚さが、０．３μｍ以上、１．０μｍ未満の範囲であることが好ましい。さらに、前記導電層が、無電解メッキまたは溶融メッキにより形成されていることが好ましい。
【発明の効果】
【００１９】
本発明に係る表示パネルによれば、クリップピンのピン体のコネクタ端子と接触する部位における異種金属接触による腐食を確実に防止することができるなどの極めて優れた効果を奏する。
【発明を実施するための最良の形態】
【００２０】
以下、本発明を図面に示す実施形態により説明する。なお、従来のものと同一ないし相当する構成については図面中に同一の符号を付し、その詳しい説明は省略する。
【００２１】
図１および図２は本発明に係る表示パネルの第１実施形態を示すものであり、図１は全体構成の要部を簡略化して示す外観斜視図、図２は図１の表示パネルのクリップピンの取付状態を簡略化して示す拡大右側面図である。
【００２２】
本実施形態の表示パネルは、液晶表示装置の液晶表示パネルに用いたものを例示している。
【００２３】
本実施形態の表示パネルとしての液晶表示パネル１１には、透明なガラスなどからなる一対の基板２、３が対向して配置されている。また、一対の基板２、３は、周辺が接着材を兼ねたシール材によって貼り合わされており、予め設けられた注入口から液晶が注入され、その後注入口を封止することで、一対の基板２、３の間に液晶が封入されている。そして、一対の基板２、３のシール材により囲まれた内側に、情報の表示に用いる画素が形成されている画像表示領域が設けられている。この画像表示領域においては、一対の基板２、３にそれぞれ形成されている表示用電極が例えば互いに直交するように配列されており、この一対の基板２、３に形成された表示用電極の相互に対向する交点が画素とされている。そして、画像表示領域の周辺の額縁部分は、情報の表示に関与しない非表示領域とされている。
【００２４】
前記一対の基板２、３のうちの一方、例えば観察側とは反対側に配置される図１下側に示す基板（リア基板）２の少なくとも一辺は、他方の基板３、例えば観察側に配置される同図上側に示す対向基板である基板（フロント基板）３の外側に張り出すように突出されており、この突出部分は端子形成部２ａとされている。そして、端子形成部２ａには、複数のパネル端子４が配列されている。
【００２５】
前記各パネル端子４には、ばね用銅合金、具体的には、ばね用りん青銅板によって形成されたクリップピン１２がそれぞれ取り付けられている。本実施形態のクリップピン１２は、従来と同様に、ほぼ棒状に形成されたピン体１３と弾性変形可能な側面ほぼコ字状に形成されたクリップ体１４とを有している。また、ピン体１３の先端から所定長さの領域、例えば、図１の斜線領域にて示す部分が、コネクタ端子との接触に用いられるコネクタ接続部１３ｃとされている。さらに、コネクタ接続部１３ｃの表面は、図２に拡大して誇張して示すように、導電層１５によって被覆されている。
【００２６】
前記導電層１５の材料としては、コネクタ端子の接触部分、詳しくはコネクタ端子の表面と同種材料であればよい。
【００２７】
例えば、コネクタ端子の表面が鉛を含まない錫合金、詳しくは、錫を主成分としこれに銅、銀、ビスマスなどの１種あるいは２種以上を添加した無鉛ハンダ合金による導電層で被覆されている場合には、コネクタ接続部１３ｃの導電層１５を無鉛ハンダ合金の溶融メッキにより形成するとよい。
【００２８】
さらに、コネクタ端子の表面が錫による導電層で被覆されている場合には、コネクタ接続部１３ｃの導電層１５を錫の溶融メッキにより形成するとよい。
【００２９】
さらにまた、コネクタ端子の表面が金による導電層で被覆されている場合には、コネクタ接続部１３ｃの導電層１５を金の無電解メッキにより形成するとよい。
【００３０】
前記導電層１５の厚さとしては、０．３μｍ以上、１．０μｍ未満の範囲が好ましい。この範囲内であれば、導電層１５の材料を鉛を含まない錫合金あるいは錫とした場合におけるウイスカの発生や成長を低減する抑制効果を得ることができる。
【００３１】
前記コネクタ接続部１３ｃの表面に、コネクタ端子表面部分、詳しくは、コネクタ端子の表面と同種材料の導電層１５を設けることにより、本実施形態のピン体のコネクタ接触部に異種金属接触による腐食を防止するための腐食防止手段１６が構成されている。
【００３２】
したがって、本実施形態のクリップピン１２は、外部駆動回路のコネクタ端子との電気的な接続に用いるためのコネクタ接続部１３ｃを具備するピン体１３と、端子形成部２ａを挟持するようにパネル端子４に取り付けられるクリップ体１４とを有しているとともに、コネクタ接続部１３ｃをコネクタに把持接続後、水などの結露により生じる異種金属接触による腐食を防止するための腐食防止手段１６が設けられている。
【００３３】
なお、コネクタ接続部１３ｃに対する導電層１５の形成は、多数のクリップピン１２の一つ一つをパネル端子４に取り付ける場合には、各クリップピン１２に予め形成されていてもよい。
【００３４】
また、多数のクリップピン１２のピン体１３の先端部をテープ状基材に所定の間隔で担持させた大クリップピン部品連とし、大クリップピン部品連を必要個数分のクリップピン１２を有する小クリップピン部品連に分断してから、必要個数のクリップピン１２を一括して端子形成部２ａのパネル端子４に取り付ける場合には、小クリップピン部品連の各クリップピン１２のクリップ体１４を各パネル端子４に接続固定した後、小クリップピン部品連のそれぞれのピン体１３の先端側を切断することで各クリップピン１２からテープ状基材を切り離し、その後、各クリップピン１２のコネクタ接続部１３ｃに導電層１５を形成するようにしてもよい。
【００３５】
その他の液晶表示パネル１１の構成については、従来公知の液晶表示パネルと同様とされているので、その詳しい説明は省略する。
【００３６】
つぎに、前述した構成からなる本実施形態の作用について説明する。
【００３７】
本実施形態の液晶表示パネル１１によれば、クリップピン１２のコネクタ接続部１３ｃに、異種金属接触による腐食を防止するための腐食防止手段１６が設けられているので、異種金属接触による腐食を確実に防止することができる。
【００３８】
また、本実施形態の液晶表示パネル１１によれば、腐食防止手段１６が、コネクタ端子の接触部分の表面と同種材料の導電層１５によって形成されているので、異種金属接触による腐食を確実に防止することができる腐食防止手段１６をコネクタ接続部１３ｃに容易に形成することができる。
【００３９】
また、本実施形態の液晶表示パネル１１によれば、導電層１５の材料が、鉛を含まない錫合金、錫、金よりなるので、無鉛化を確実に図ることができる。
【００４０】
また、本実施形態の液晶表示パネル１１によれば、導電層１５の厚さが、０．３μｍ以上、１．０μｍ未満の範囲とされているので、導電層１５の材料を鉛を含まない錫合金あるいは錫とした場合においてもウイスカの発生や成長を低減することができる。さらに、導電層１５の材料を金とした場合における使用量を低減することができる。
【００４１】
また、本実施形態の液晶表示パネル１１によれば、導電層１５が、無電解メッキあるいは溶融メッキにより形成されているので、導電層１５を、鉛を含まない錫合金もしくは錫とした場合においても、コネクタ接続部１３ｃの表面にウイスカが発生するのを抑制することができる。
【００４２】
したがって、本実施形態の液晶表示パネル１１によれば、クリップピン１２のコネクタ接続部１３ｃにおける異種金属接触による腐食を確実かつ容易に防止することができる。
【００４３】
本発明は、液晶表示パネルに限らず、有機ＥＬ表示パネル、プラズマ表示パネルなどの各種の表示パネルに適用することができる。
【００４４】
なお、本発明は、前述した実施形態に限定されるものではなく、必要に応じて種々の変更が可能である。
【図面の簡単な説明】
【００４５】
【図１】本発明に係る表示パネルの実施形態の全体構成の要部を簡略化して示す外観斜視図
【図２】図１の表示パネルのクリップピンの取付状態を簡略化して示す拡大右側面図
【図３】従来の表示パネルを簡略化して示す平面図
【図４】図３の表示パネルのクリップピンの取付状態を簡略化して示す拡大右側面図
【符号の説明】
【００４６】
２、３  基板
２ａ  端子形成部
４  パネル端子
８  紫外線硬化型樹脂
１１  液晶表示パネル
１２  クリップピン
１３  ピン体
１３ｃ  コネクタ接続部
１４  クリップ体
１５  導電層
１６  腐食防止手段
【図１】
2006003800.tif 000003
【図２】
2006003800.tif 000004
【図３】
2006003800.tif 000005
【図４】
2006003800.tif 000006